(57)【要約】【課題】簡単な構成を有し、ＢＴＬ型の出力形式でスピーカに出力することができるとともに、ヘッドフォン接続時におけるヘッドフォンへの出力信号の過渡的な変動によるノイズを抑制する。【解決手段】スピーカ４１、４２に対しＢＴＬ形式の出力を行い、ヘッドフォン７に対しＳＥ形式の出力を行う音声出力回路Ａにおいて、直流のバイアス電圧が重畳された左右の音声信号又は直流のバイアス電圧が重畳された左右の反転信号のいずれかの信号に基づいてヘッドフォン端子５の接地端子５５が接地電位になるのを制御する接地制御回路６を備えている。【選択図】図１
2014229917.tif 000002
【特許請求の範囲】
【請求項１】
左右の音声信号と、前記左右の音声信号の位相を反転した左右の反転信号とに直流のバイアス電圧を重畳させて出力するＢＴＬ型の音声出力回路であって、
左右の音声信号又は左右の反転信号をヘッドフォンに出力するヘッドフォン端子を備え、
前記ヘッドフォン端子は、前記直流のバイアス電圧が重畳された左右の音声信号又は前記直流のバイアス電圧が重畳された左右の反転信号をそれぞれ独立して出力する端子と、接地端子とを備えており、
前記直流のバイアス電圧が重畳された左右の音声信号又は前記直流のバイアス電圧が重畳された左右の反転信号のいずれかの信号に基づいて前記接地端子が接地電位になるのを制御する接地制御回路を備えていることを特徴とする音声出力回路。
【請求項２】
前記接地制御回路は、前記接地端子と前記接地電位との間に配置されたスイッチング素子と、
前記バイアス電圧の立ち上がりを検出し、バイアス電圧の立ち上がりより所定の時間遅れたタイミングで前記スイッチング素子をＯＮにするとともに、前記バイアス電圧が重畳された左右の音声信号又は前記バイアス電圧が重畳された左右の反転信号が出力されている間、前記スイッチング素子のＯＮを継続する回路とを備えている請求項１に記載の音声出力回路。
【請求項３】
前記接地制御回路は、前記バイアス電圧が重畳された左右の音声信号が出力される回路又は前記バイアス電圧が重畳された左右の反転信号が出力される回路のうちいずれか一つの回路から信号を電圧として検出し、
前記電圧を平滑化する平滑回路を備えている請求項２に記載の音声出力回路。
【請求項４】
前記接地制御回路は、抵抗とコンデンサとを組み合わせた平滑回路を備えており、
前記接地制御回路は、前記電圧信号が停止された後、前記コンデンサに蓄積された電荷を開放するリセット回路を備えている請求項３に記載の音声出力回路。
【請求項５】
前記接地制御回路は、前記バイアス電圧が重畳された左右の音声信号が出力される回路又は前記バイアス電圧が重畳された左右の反転信号が出力される回路から信号を検出する接続点から前記平滑回路に向かう部分に、前記接続点から前記平滑回路に向かって順方向となるようにダイオードが接続されている請求項３又は請求項４に記載の音声出力回路。
【発明の詳細な説明】
【技術分野】
【０００１】
本発明は、音声出力回路に関し、より詳しくは、ＢＴＬ（Ｂｒｉｄｇｅｄ  ＴｒａｎｓｆｏｒｍｅｒＬｅｓｓ）出力されたスピーカ用の信号を、ヘッドフォンの出力に利用することができる音声出力回路に関するものである。
【背景技術】
【０００２】
前記音声出力回路は、その出力形式によってＳＥ型（Ｓｉｎｇｌｅ  Ｅｎｄ）型とＢＴＬ（Ｂｒｉｄｇｅｄ  ＴｒａｎｓｆｏｒｍｅｒＬｅｓｓ）型に大別される。ＳＥ型の音声出力回路は、増幅器の出力をスピーカの正極に接続し、負極を接地する構成である。また、ＢＴＬ型の音声出力回路は、２個の増幅器を備え、一方の増幅器を経由した正転信号と、他方の増幅器を経由した反転信号とをスピーカに入力する構成である。音声出力回路では、交流の音声信号に直流のバイアス電圧を重畳させてスピーカに入力する。スピーカから音声を出力する場合、前記ＳＥ型、ＢＴＬ型のいずれの出力形式も利用可能である。
【０００３】
一方、ヘッドフォンから音声を出力する場合、音声出力回路がＳＥ型である必要がある。前記電子機器において、ＢＴＬ型の音声出力回路を有している場合、そのままではヘッドフォンの接続が不可能である。そこで、ヘッドフォン用のＳＥ型の音声出力回路を別途備える構成のものがあったが、回路構成が複雑であるとの問題があった。
【０００４】
そこで、特許文献１には、ヘッドフォン出力を備えるＢＴＬ型の音声出力回路が提案されている。特許文献１の音声出力回路は、ヘッドフォン用ジャックの第１切片がたわむことができるように形成されており、正転信号が供給されているとともに、スピーカの正極に接続されている。そして、第２切片にも正転信号が供給されているとともに、反転側の増幅器がスピーカの負極に接続されている。
【０００５】
ヘッドフォン用ジャックにヘッドフォン用のプラグが接続されていない場合、正転側の増幅器からの正転信号が供給される配線と第１切片とが接続されている。これにより、正転側の増幅器からの正転信号は、第１切片を介してスピーカの正極に供給され、反転側の増幅器からの反転信号が直接、スピーカの負極に供給されＢＴＬ型の音声出力回路を構成している。
【０００６】
また、ヘッドフォン用ジャックにヘッドフォン用のプラグが接続されている場合、正転側の増幅器からの正転信号が供給される配線と、第１切片とが離間し、スピーカへの正転信号の供給が停止される。これによりスピーカからの音声の出力は停止する。一方、第２切片には、正極信号が供給されているためヘッドフォンから音声が出力される。
【０００７】
しかしながら、このような音声出力回路では、電源投入直後等、直流バイアスの過渡的な変動によって、例えば、「ボツ」というようなボツ音或いはポップ音と呼ばれる短音の雑音（以下、ポップ音と称する）が発生する。このようなポップ音を抑制するため、例えば特許文献２に示すような音声出力処理用ＩＣが提案されている。特許文献２の音声出力処理用ＩＣは、バイアス回路と増幅回路とを独立させ、スピーカへの音声信号の出力を増幅回路から出力するようにするとともに、バイアス回路と増幅回路とを異なるタイミングで活性化させることで、ポップ音を抑制している。
【先行技術文献】
【特許文献】
【０００８】
【特許文献１】特開２００５−２６９２９１号公報
【特許文献２】特開２００２−７８０６４号公報
【発明の概要】
【発明が解決しようとする課題】
【０００９】
しかしながら、上記特許文献２の構成では、ポップ音の抑制のために、音声出力処理用ＩＣとは別に、制御用ＩＣが必要であるとともに、制御用ＩＣを駆動させるためのシャットダウン信号の入力が必要である。つまり、音声出力回路の構成が複雑となるだけでなく、制御も複雑で、製造コストが高くなる。
【００１０】
この発明は、上記のような課題を解決するため、この発明の１つの目的は、簡単な構成を有し、ＢＴＬ型の出力形式でスピーカから音声を出力することができるとともに、ヘッドフォン接続時におけるヘッドフォンへの出力信号の過渡的な変動によるノイズを抑制することである。
【課題を解決するための手段】
【００１１】
この発明の一の局面による音声出力回路は、左右の音声信号と、前記左右の音声信号の位相を反転した左右の反転信号とに直流のバイアス電圧を重畳させて出力するＢＴＬ型の音声出力回路であって、左右の音声信号又は左右の反転信号をヘッドフォンに出力するヘッドフォン端子を備え、前記ヘッドフォン端子は、前記直流のバイアス電圧が重畳された左右の音声信号又は前記直流のバイアス電圧が重畳された左右の反転信号をそれぞれ独立して出力する端子と、接地端子とを備えており、前記直流のバイアス電圧が重畳された左右の音声信号又は前記直流のバイアス電圧が重畳された左右の反転信号のいずれかの信号に基づいて前記接地端子を接地電位にするか否かを制御する接地制御回路を備えていることを特徴とする。
【００１２】
この発明の一局面による音声出力回路では、スピーカにはＢＴＬ型の出力形式の出力信号を出力でき、前記ヘッドフォンへの出力信号が過渡的に変動しても、前記ヘッドフォンでのポップ音の発生を抑制することができる。そして、このポップ音の発生を抑制するために、接地制御回路を用いることで、スピーカとヘッドフォンとに別々の回路を設けたり、ポップ音を抑制するための信号を出力する発振回路を設けたりする必要がなく、回路を簡略化することが可能である。
【００１３】
上記一局面による音声出力回路において、前記接地制御回路は、前記接地端子と前記接地電位との間に配置されたスイッチング素子と、前記バイアス電圧の立ち上がりを検出し、バイアス電圧の立ち上がりより所定の時間遅れたタイミングで前記スイッチング素子をＯＮにするとともに、前記バイアス電圧が重畳された左右の音声信号又は前記バイアス電圧が重畳された左右の反転信号が出力されている間、前記スイッチング素子のＯＮを継続する回路とを備えるように構成されている。このように構成にすれば、簡単な構成で、ヘッドフォンでのポップ音の発生を抑制することができる。
【００１４】
上記一局面による音声出力回路において、前記接地制御回路は、前記バイアス電圧が重畳された左右の音声信号が出力される回路又は前記バイアス電圧が重畳された左右の反転信号が出力される回路のうちいずれか一つの回路から信号を電圧として検出し、前記電圧を平滑化する平滑回路を備えるように構成されている。このように構成すれば、このように構成にすれば、簡単な構成で、ヘッドフォンでのポップ音の発生を抑制することができる。
【００１５】
上記一局面による音声出力回路において、前記接地制御回路は、抵抗とコンデンサとを組み合わせた平滑回路を備えており、前記接地制御回路は、前記電圧信号が停止された後、前記コンデンサに蓄積された電荷を開放するリセット回路を備えるように恋勢されている。このように構成すれば、このように構成にすれば、音声出力回路に電源を投入するたびに発生するヘッドフォンへの出力信号の過渡的な変動に基づくポップ音を効果的に抑制することができる。
【００１６】
上記一局面による音声出力回路において、前記接地制御回路は、前記バイアス電圧が重畳された左右の音声信号が出力される回路又は前記バイアス電圧が重畳された左右の反転信号が出力される回路から信号を検出する接続点から前記平滑回路に向かう部分に、前記接続点から前記平滑回路に向かって順方向となるようにダイオードが接続されるように構成されている。このように構成すれば、接地制御回路から音声出力回路への電流を抑制し、リセット時にノイズが発生するのを抑制することができる。
【発明の効果】
【００１７】
本発明によると、簡単な構成を有し、ＢＴＬ型の出力形式でスピーカから音声を出力することができるとともに、ヘッドフォン接続時におけるヘッドフォンへの出力信号の過渡的な変動によるノイズを抑制することができる音声出力回路を提供することができる。
【図面の簡単な説明】
【００１８】
【図１】本発明にかかる音声出力回路の一例の回路図である。
【図２】本発明にかかる音声出力回路の他の例の回路図である。
【図３】本発明にかかる音声出力回路のさらに他の例の回路図である。
【図４】本発明にかかる音声出力回路のさらに他の例の回路図である。
【図５】本発明にかかる音声出力回路のさらに他の例の回路図である。
【発明を実施するための形態】
【００１９】
以下に本発明の実施形態について図面を参照して説明する。
（第１実施形態）
図１は本発明にかかる音声出力回路の一例の回路図である。図１に示す音声出力回路Ａは、左右の音声信号が独立して入力され、左右のスピーカ又はヘッドフォンから独立して音声を出力する回路である。音声出力回路Ａは、左右の音声信号が独立して入力される入力部１と、左右の音声信号をそれぞれ独立して増幅する増幅部２と、フィルタ回路３１と、スピーカ４１、４２と、ヘッドフォン端子５と、接地制御回路６とを備えている。なお、音声出力回路Ａは、右音声信号（以下、Ｒｃｈ信号とする）の処理を行うＲｃｈ系統と、左音声信号（以下、Ｌｃｈ信号とする）の処理を行うＬｃｈ系統とを有している。Ｒｃｈ及びＬｃｈは、交流成分を含む信号である。また、図１には、ヘッドフォンの構成と等価なヘッドフォン等価回路７を表示している。
【００２０】
まず、ヘッドフォン等価回路７について説明する。ヘッドフォン等価回路７は、Ｒｃｈ用ヘッドフォンと置き換えられた抵抗７１と、Ｌｃｈ用ヘッドフォンと置き換えられた抵抗７２とを備えている。抵抗７１の一方はＲ入力端部７１１と接続されており、抵抗７２の一方はＬ入力端部７２１と接続されている。また、抵抗７１及び抵抗７２の他方はそれぞれ接地端子７３に接続されている。図１に示すとおり、ヘッドフォン等価回路７はＳＥ型の出力形式に対応した回路構成となっている。なお、Ｒ入力端部７１１、Ｌ入力端部７２１及び接地端子７３がヘッドフォン端子５に接続されるヘッドフォンプラグに含まれる。
【００２１】
音声出力回路Ａの入力部１は、右側のＲｃｈ信号が入力されるＲ入力端子１１と、Ｌｃｈ信号が入力されるＬ入力端子１２とを備えている。Ｒ入力端子１１及びＬ入力端子１２は、それぞれ、コンデンサＣ１１、Ｃ２１を介して増幅部２に接続されている。コンデンサＣ１０、Ｃ２０はＡＣカップリングコンデンサであり、直流成分を除去している。
【００２２】
増幅部２は、Ｒｃｈ信号及びＬｃｈ信号がそれぞれ独立して入力される。Ｒｃｈ信号を２つの信号に分配する分配部を備えている。分配部で分配されたＲｃｈ信号に直流バイアスを重畳して増幅する増幅回路２１１と、位相を反転させた反転Ｒｃｈ信号に直流バイアスを重畳して増幅する増幅回路２１２とを備えている。増幅部２では、増幅されたＲｃｈ信号と増幅された反転Ｒｃｈ信号とが出力される。また、Ｌｃｈ系統でも同様の構成を有しており、分配部と、Ｌｃｈ信号に直流バイアスを重畳して増幅する増幅回路２２１と、反転Ｌｃｈ信号に直流バイアスを重畳して増幅する増幅回路２２２とを備えている。
【００２３】
増幅部２は、増幅されたＲｃｈ信号、反転Ｒｃｈ信号、Ｌｃｈ信号、反転Ｌｃｈ信号のそれぞれが出力されるようになっている。Ｒｃｈ信号が出力されるＲ出力回路１０１は、コイルＬ１１、コンデンサＣ１１で構成されたローパスフィルタを介してヘッドフォン端子５の後述するＲスピーカ信号入力部５１１に接続している。反転Ｒｃｈ信号が出力される反転Ｒ出力回路１０２は、コイルＬ１２、コンデンサＣ１２で構成されたローパスフィルタを介してＲｃｈ用スピーカ４１の負極に接続している。
【００２４】
すなわち、増幅部２からのＲｃｈ信号はローパスフィルタで高周波成分が除去されてヘッドフォン端子５のＲスピーカ信号入力部５１１に入力している。また、増幅部２からの反転Ｒｃｈ信号はローパスフィルタで高周波成分が除去されてＲｃｈ用スピーカ４１の負極に入力している。また、Ｒ出力回路１０１と反転Ｒ出力回路１０２とを接続するバイパスコンデンサＣ１３も備えられている。
【００２５】
また、増幅部２からＬｃｈ信号が出力されるＬ出力回路２０１は、コイルＬ２１、コンデンサＣ２１で構成されたローパスフィルタを介してヘッドフォン端子５の後述するＬスピーカ信号入力部５２１に接続している。反転Ｌｃｈ信号が出力される反転Ｌ出力回路２０２は、コイルＬ２２、コンデンサＣ２２で構成されたローパスフィルタを介してＬｃｈ用スピーカ４２の負極に接続している。
【００２６】
すなわち、増幅部２からのＬ信号はローパスフィルタで高周波成分が除去されてヘッドフォン端子５のＬスピーカ信号入力部５２１に入力している。また、増幅部２からの反転Ｌｃｈ信号はローパスフィルタで高周波成分が除去されてＬｃｈ用スピーカ４２の負極に入力している。また、Ｌ出力回路２０１と反転Ｌ出力回路２０２とを接続するバイパスコンデンサＣ２３も備えられている。
【００２７】
Ｒｃｈ用スピーカ４１及びＬｃｈ用スピーカ４２は従来よく知られたスピーカであり詳細は省略する。
【００２８】
ヘッドフォン端子５は、Ｒスピーカ信号入力部５１１と、Ｒバイパス接続部５１２と、Ｒヘッドフォン信号入力部５１３と、Ｌスピーカ信号入力部５２１と、Ｌバイパス接続部５２２と、Ｌヘッドフォン信号入力部５２３とを備えている。また、ヘッドフォン端子５は、Ｒ接片５１４と、Ｌ接片５２４と、Ｒ切り替えスイッチ５３と、Ｌ切り替えスイッチ５４と、接地端子５５とを備えている。
【００２９】
Ｒスピーカ信号入力部５１１は上述の通りＲ出力回路１０１が接続されている。Ｒバイパス接続部５１２は、Ｒｃｈ用スピーカ４１の正極と接続されている。Ｒヘッドフォン信号入力部５１３には、Ｒ出力回路１０１から分岐したＲヘッドフォン信号回路１０３が接続される。ここで、Ｒヘッドフォン信号回路１０３について説明する。Ｒヘッドフォン信号回路１０３は、Ｒ出力回路１０１から分波した増幅されたＲｃｈ信号が送られる。そして、Ｒヘッドフォン信号回路１０３は、コンデンサＣ１４、抵抗Ｒ１１及び抵抗Ｒ１２を含むバイアス除去及びＧａｉｎ調整回路３２を備えている。Ｒ出力回路１０１から分波しＲヘッドフォン信号回路１０３に送られたＲｃｈ信号は、バイアス除去及びＧａｉｎ調整回路３２で重畳されている直流バイアスを取り除かれ、Ｇａｉｎ調整されたＲｃｈヘッドフォン信号として、Ｒヘッドフォン信号入力部５１３に入力する。
【００３０】
Ｌスピーカ信号入力部５２１は上述の通りＬ出力回路２０１が接続されている。Ｌバイパス接続部５２２は、Ｌｃｈ用スピーカ４２の正極と接続されている。Ｌヘッドフォン信号入力部５２３には、Ｌ出力回路２０１から分岐したＬヘッドフォン信号回路２０３が接続される。ここで、Ｌヘッドフォン信号回路２０３について説明する。Ｌヘッドフォン信号回路２０３は、Ｌ出力回路２０１から分波した増幅されたＬｃｈ信号が送られる。そして、Ｌヘッドフォン信号回路２０３は、コンデンサＣ２４、抵抗Ｒ２１及び抵抗Ｒ２２を含むバイアス除去及びＧａｉｎ調整回路３２を備えている。Ｌ出力回路２０１から分波しＬヘッドフォン信号回路２０３に送られたＬｃｈ信号は、バイアス除去及びＧａｉｎ調整回路３２で重畳されている直流バイアスを取り除かれ、Ｇａｉｎ調整されたＬｃｈヘッドフォン信号として、Ｌヘッドフォン信号入力部５２３に入力する。
【００３１】
Ｒスピーカ信号入力部５１１とＲバイパス接続部５１２とは、Ｒ切り替えスイッチ５３に接続されており、Ｒヘッドフォン信号入力部５１３は、Ｒ接片５１４と接続されている。Ｒ接片５１４は弾性変形可能な導電部材であり、ヘッドフォンプラグがヘッドフォン端子５に接続されるとき、Ｒ入力端部７１１と接触する。また、このとき、Ｒ接片５１４はＲ入力端部７１１に押されて撓む。
【００３２】
Ｒ切り替えスイッチ５３は、弾性変形可能な可動片５３１と、可動片５３１と導電状態で接触する導電性の接触部５３２と、可動片５３１の先端に設けられ、Ｒ接片５１４と非導電状態で接触する非導電性の押圧部５３３とを備えている。なお、押圧部５３３の替わりにＲ接片５１４の可動片５３１の先端と当たる部分に非導電性の当接部を備える構成であってもよい。図１に示すように可動片５３１はＲスピーカ信号入力部５１１と接続されており、接触部５３２はＲバイパス接続部５１２と接続されている。
そして、ヘッドフォンプラグがヘッドフォン端子５に接続されていないとき、可動片５３１と接触部５３２が接触されている。これにより、Ｒ出力回路１０１が、Ｒスピーカ信号入力部５１１、可動片５３１、接触部５３２、Ｒバイパス接続部５１２を介して、Ｒｃｈ用スピーカ４１の正極に接続されている。また、Ｒ接片５１４がＲ入力端部７１１に押されて撓むと、Ｒ接片５１４に押圧部５３３が押され、可動片５３１が撓み、可動片５３１と接触部５３２との接続が切り離される。
【００３３】
Ｌスピーカ信号入力部５２１とＬバイパス接続部５２２とは、Ｌ切り替えスイッチ５４に接続されており、Ｌヘッドフォン信号入力部５２３は、Ｌ接片５２４と接続されている。Ｌ接片５２４は弾性変形可能な導電部材であり、ヘッドフォンプラグがヘッドフォン端子５に接続されるとき、Ｌ入力端部７２１と接触する。また、このとき、Ｌ接片５２４はＬ入力端部７２１に押されて撓む。
【００３４】
Ｌ切り替えスイッチ５４は、弾性変形可能な可動片５４１と、可動片５４１と導電状態で接触する導電性の接触部５４２と、可動片５４１の先端に設けられ、Ｌ接片５２４と非導電状態で接触する非導電性の押圧部５４３とを備えている。なお、押圧部５４３の替わりにＬ接片５２４の可動片５４１の先端と当たる部分に非導電性の当接部を備える構成であってもよい。図１に示すように可動片５４１はＬスピーカ信号入力部５２１と接続されており、接触部５４２はＬバイパス接続部５２２と接続されている。そして、ヘッドフォンプラグがヘッドフォン端子５に接続されていないとき、可動片５４１と接触部５４２が接触されている。これにより、Ｌ出力回路２０１が、Ｌスピーカ信号入力部５２１、可動片５４１、接触部５４２、Ｌバイパス接続部５２２を介して、Ｌｃｈ用スピーカ４２の正極に接続されている。また、Ｌ接片５２４がＬ入力端部７２１に押されて撓むと、Ｌ接片５２４に押圧部５４３が押され、可動片５４１が撓み、可動片５４１と接触部５４２との接続が切り離される。
【００３５】
以上示したように、ヘッドフォンプラグをヘッドフォン端子５に接続していないとき、可動片５３１と接触部５３２との接触によって、Ｒスピーカ用信号入力部５１１とＲバイパス接続部５１２が接続される。Ｒスピーカ用信号入力部５１１にＲ出力回路１０１が接続されるとともに、Ｒバイパス接続部５１２がＲｃｈ用スピーカ４１の正極と接続されている。これにより、Ｒ出力回路１０１を介して送信された増幅されたＲｃｈ信号がＲｃｈ用スピーカ４１の正極に入力される。
【００３６】
また同様に、可動片５４１と接触部５４２との接触によって、Ｌスピーカ用信号入力部５２１とＬバイパス接続部５２２が接続される。Ｌスピーカ用信号入力部５２１にＬ出力回路２０１が接続されるとともに、Ｌバイパス接続部５２２がＬｃｈ用スピーカ４２の正極と接続されている。これにより、Ｌ出力回路２０１を介して送信された増幅されたＬｃｈ信号がＬｃｈ用スピーカ４２の正極に入力される。これにより、ＢＴＬ型の出力形式でＲｃｈ用スピーカ４１及びＬｃｈ用スピーカ４２に音声信号を入力することができる。
【００３７】
また、ヘッドフォンプラグがヘッドフォン端子５に接続しているとき、可動片５３１と接触部５３２とが離間する。増幅されたＲｃｈ信号がＲｃｈ用スピーカ４１の正極に入力するための回路が開いた回路となるためＲｃｈ用スピーカ４１からの出力は停止される。また、Ｒ接片５１４がＲヘッドフォン信号入力部５１３と接続し、Ｒヘッドフォン信号入力部５１３がＲヘッドフォン信号回路１０３に接続されている。これにより、Ｒヘッドフォン信号回路１０３からのＲｃｈヘッドフォン信号がＲ接片５１４に接続されたＲ入力端部７１１に供給される。
【００３８】
同様に、増幅されたＬｃｈ信号がＬｃｈ用スピーカ４２の正極に入力するための回路が開いた回路となるためＬｃｈ用スピーカ４２からの出力は停止される。また、Ｌ接片５２４がＬヘッドフォン信号入力部５２３と接続し、Ｌヘッドフォン信号入力部５２３がＬヘッドフォン信号回路２０３に接続されている。これにより、Ｌヘッドフォン信号回路２０３からのＬｃｈヘッドフォン信号がＬ接片５２４に接続されたＬ入力端部７２１に供給される。
【００３９】
また、ヘッドフォン等価回路７の接地端子７３が、ヘッドフォン端子５の接地端子５５と接続され、接地される。以上により、ＳＥ型の出力形式でヘッドフォン（ここでは、ヘッドフォンの等価回路）で音声を出力できる。
【００４０】
このような、直流バイアスを重畳して増幅を行う増幅回路を備えた回路では、例えば、電源を投入した直後等動作が切り替わるとき、増幅部２から直流バイアス電圧分の信号が出力される。これにより、各出力回路１０１、１０２、２０１、２０２には、急激に立ち上がる電圧信号が出力される、すなわち、出力信号が過渡的な変動を示す。ＢＴＬ出力を行っている場合、例えば、Ｒｃｈ用スピーカ４１には、Ｒ出力回路１０１からの信号が正極に、反転Ｒ出力回路１０２からの信号が負極に入力しているため、両方の入力信号が急激に立ち上がっても、正極と負極の間の電位差は発生しない又はしにくい。すなわち、音声信号が入力されていないときと同じ状態となり、出力信号の過渡的な変動による雑音は発生しない、或いは、発生しにくい。なお、Ｌｃｈ系統もＲｃｈ系統と同様、Ｌｃｈ用スピーカ４２からも雑音は発生しない、或いは、発生しにくい。
【００４１】
一方、ヘッドフォン端子５にヘッドフォンプラグを接続している場合、Ｒ出力回路１０１がＲ入力端部７１１に接続されているため、Ｒｃｈ用ヘッドフォンと等価に置き換えられた抵抗７１と接続されている。ヘッドフォンを接続している状態で、増幅部２から急激に立ち上がる信号が出力されたとき、バイアス除去及びＧａｉｎ調整回路３２では変動が急であるため、バイアス成分を確実に除去できず過渡的な変動を示す信号がＲ入力端部７１１に入力される。この信号の過渡的な変動は信号の立ち上がり直後の一瞬に発生するものであるため、Ｒｃｈ用ヘッドフォンは、ポップ音を出力する。なお、Ｌｃｈ用ヘッドフォンもＲｃｈ用ヘッドフォンと同様、ポップ音を出力する。
【００４２】
ヘッドフォン接続時のポップ音の発生を抑えるため、音声出力回路Ａでは、接地制御回路６を備えている。以下に接地制御回路６について説明する。接地制御回路６は、ヘッドフォン端子５の接地端子５５の接地を制御することで、ヘッドフォンの動作を抑制し、ヘッドフォンに入力する信号の過渡的な変動によるヘッドフォンからのポップ音の出力を抑制している。
【００４３】
接地制御回路６は、ダイオード６１と、平滑回路６２と、リセット回路６３と、ｎ型ＭＯＳＦＥＴ６４とを備えている。接地制御回路６は、反転Ｌ出力回路２０２に接続し、反転Ｌｃｈ出力信号を検出している。
【００４４】
ｎ型ＭＯＳＦＥＴ６４は、ドレインがヘッドフォン端子５の接地端子５５と接続され、ソースが接地されている。そして、ゲートには、反転Ｌ出力回路２０２で伝送される信号（電圧）が入力されるようになっている。反転Ｌ出力回路２０２への接続部分から、ｎ型ＭＯＳＦＥＴ６４のゲートに至る回路にはダイオード６１、平滑回路６２及びリセット回路６３が直列に接続されている。ｎ型ＭＯＳＦＥＴ６４は、ゲートに信号が入力されていないとき、ドレインソース間が非導通（ＯＦＦ）である。また、ｎ型ＭＯＳＦＥＴ６４は、ゲートに入力される信号の電圧が一定の電圧値以上になったとき、ドレインソース間が導通（すなわちＯＮ）になる。接地制御回路６では、ｎ型ＭＯＳＦＥＴ６４のＯＮのタイミングを制御し、接地端子５５が接地電位になるタイミングを制御している。
【００４５】
ダイオード６１はアノードが、反転Ｌ出力回路２０２との接続側になっている。ダイオード６１は、反転Ｌ出力回路２０２から検出される反転Ｌｃｈ出力信号の振幅が低い時の電圧によって、ｎ型ＭＯＳＦＥＴ６４のゲート電圧が降下するのを抑制している。つまり、ダイオード６１は、ゲート電圧を保持し、ｎ型ＭＯＳＦＥＴ６４を常にＯＮ状態にする為に配置されている。これにより、反転Ｌｃｈ出力信号の振幅の変化で、ｎ型ＭＯＳＦＥＴ６４がＯＮ／ＯＦＦを繰り返すのを抑制し、ヘッドフォンからの音声が途切れる等の不具合の発生を抑制することができる。
【００４６】
平滑回路６２は、ダイオード６１のカソードとｎ型ＭＯＳＦＥＴ６４のゲートの間に配置された抵抗６２１と、一方の端子が抵抗６２１とｎ型ＭＯＳＦＥＴ６４のゲートの間の部分に接続され、他方の端子が接地されたコンデンサ６２２を備えている。そして、リセット回路６３は抵抗によって構成されており、一端が抵抗６２１とｎ型ＭＯＳＦＥＴ６４のゲートの間に接続し、他端が接地されている。
【００４７】
このように構成された接地制御回路６の動作について説明する。例えば、音声出力回路Ａの電源投入時において、直流バイアスが重畳されるため（電圧が）急激に立ち上がる信号が増幅回路２２２から反転Ｌ出力回路２０２に出力される。このとき、接地制御回路６には、この急激に立ち上がる信号が入力される。一方、接地制御回路６では、反転Ｌ出力回路２０２から入力された信号が、平滑回路６２によって平滑化される。平滑回路６２では信号が入力されると、コンデンサ６２２に電荷が蓄積される。コンデンサ６２２に電荷を蓄積している間は、ｎ型ＭＯＳＦＥＴ６４のゲートの電圧は、徐々に増加する。そのため、ｎ型ＭＯＳＦＥＴ６４はすぐにＯＮにならず、遅れて（遅延して）ＯＮになる。
【００４８】
Ｒ出力回路１０１、Ｌ出力回路２０１には増幅部２より急激に立ち上がる信号が出力された直後、ｎ型ＭＯＳＦＥＴ６４がＯＦＦのため、接地端子５５も接地電位になっていない。これにより、ヘッドフォン（ヘッドフォン等価回路７）は開いた回路となっているため、信号が入力してもヘッドフォンから音声は出力されない。そして、上述しているように、ポップ音は、信号の変動直後に短時間発生する過渡的な変動によるものであるため、ｎ型ＭＯＳＦＥＴ６４がＯＮになったときには、ヘッドフォンには入力されない。このようにして、本発明にかかる音声出力回路Ａは、ヘッドフォンからポップ音の出力を抑制している。
【００４９】
また、接地制御回路６において、平滑回路６２は一般的な平滑回路であるため、増幅部２（増幅回路２２２）から信号が出力している間、その信号が周期的に変動する信号であっても、ダイオード６１と平滑回路６２によって一定の平滑化された電圧をｎ型ＭＯＳＦＥＴ６４のゲートに出力する。つまり、音声出力回路Ａでは、電源投入直後を除いて、増幅部２（増幅回路２２２）から信号が出力されている間は、ヘッドフォン端子５の接地端子５５は、接地電位になり、ヘッドフォンから音声出力が可能な状態となっている。
【００５０】
以上のことをまとめると、音声出力回路Ａは、増幅部２から出力される出力信号（直流バイアス）の立ち上がり（過渡的な変動）を検出し、ヘッドフォン端子５の接地端子５５の接地電位になるのを遅延（制御）し、ヘッドフォンからのポップ音の出力を抑制している。本発明にかかる音声出力回路Ａは、ヘッドフォンからのポップ音の出力を抑制するとともに、スピーカ４１、４２からＢＴＬ型の出力形式による信号で音声の出力が可能である。これにより、簡単な回路構成で、ＢＴＬ型の出力形式でスピーカに出力することができるとともに、ヘッドフォン接続時の音声信号の過渡的な変動によるノイズを抑制することができる。
【００５１】
また、接地制御回路６を用いて上述のような動作を行う場合、出力信号の過渡的な変動があるときに、平滑回路６２のコンデンサ６２２に電荷が蓄積されていないことが好ましい。そこで、接地制御回路６では、このコンデンサ６２２に蓄積された電荷を、リセット回路６３を介して地絡させて、電荷を抜いて（リセットして）いる。
【００５２】
これにより、接地制御回路６は、次の電圧の入力に備えてコンデンサ６２２を開放するので、次の出力信号の過渡的な変動（立ち上がり）時も、接地端子５５が接地電位になるのを遅延させることができ、ポップ音を確実に抑制することが可能である。
【００５３】
また、平滑回路６２の抵抗６２１の抵抗値及びコンデンサ６２２の容量は、ｎ型ＭＯＳＦＥＴ６４のゲートに入力する信号の大きさ、過渡的な変動があってから接地端子５５が接地電位になるまでの遅延時間によって決定される。
【００５４】
すなわち、本発明にかかる音声出力回路では、ＢＴＬ型の出力形式でスピーカから音声を出力することができる。そして、出力信号を検出する接地制御回路６でヘッドフォンの接地を制御することで、ヘッドフォン接続時に、音声信号の過渡的な変動によるヘッドフォンからのポップ音の出力を効果的に抑制することができる。
【００５５】
接地制御回路６は、ダイオード、抵抗、コンデンサ、スイッチング素子の簡単な構成であるため、スピーカ用とヘッドフォン用に別途回路を設ける構成や、別途制御信号を出力する回路を備えた構成の従来の音声出力回路に比べて簡単な構成とすることができる。
【００５６】
（第２実施形態）
本発明にかかる音声出力回路の他の例について図面を参照して説明する。図２は本発明にかかる音声出力回路の他の例の回路図である。図２に示す音声出力回路Ｂは接地制御回路が異なる以外は、図１に示す音声出力回路Ａと同じ構成を有しており、実質上同じ部分には、同じ符号を付すとともに、同じ部分の詳細な説明は省略する。
【００５７】
音声出力回路Ｂの接地制御回路６ｂは、ｎ型ＭＯＳＦＥＴ６４に変えて、ｎｐｎ型バイポーラトランジスタ６５を備えている。そして、ｎｐｎ型バイポーラトランジスタ６５のコレクタがヘッドフォン端子５の接地端子５５と接続され、エミッタが接地され、ベースが反転Ｌ出力回路２０２からの信号が入力するようになっている。
【００５８】
この構成の接地制御回路６ｂは、図１に示す音声出力回路Ａの接地制御回路６と同様、出力信号に過渡的な変動があったとき、接地端子５５が接地電位になるのを遅延させることができる。これにより、音声出力回路Ｂは、ヘッドフォンが接続されている状態で、増幅部２から出力される出力信号に過渡的な変動があっても、ポップ音を抑制することができる。
【００５９】
なお、ｎｐｎ型バイポーラトランジスタは、ゲートに入力される電流によってＯＮ／ＯＦＦが制御される素子である。そのため、ゲートに接続している回路の途中に含まれる抵抗（平滑回路６２の抵抗６２１及びリセット回路６３の抵抗）の抵抗値は、ｎｐｎ型バイポーラトランジスタをＯＮにできる電流となるように調整される。
【００６０】
本実施形態の音声出力回路Ｂは、第１実施形態の音声出力回路Ａと同じ特徴を有している。
【００６１】
（第３実施形態）
本発明にかかる音声出力回路のさらに他の例について図面を参照して説明する。図３は本発明にかかる音声出力回路のさらに他の例を示す図である。図３に示す音声出力回路Ｃは、接地制御回路６ｃがＲ出力回路１０１に接続され、増幅されたＲｃｈ出力信号を検出している。それ以外は、音声出力回路Ａと同じ構成を有しており、実質上同じ部分には、同じ符号を付してある。
【００６２】
接地制御回路６ｃは、増幅されたＲｃｈ出力信号に基づいて、接地端子５５が接地電位になるのを遅延させている。接地制御回路６ｃは、ｎ型ＭＯＳＦＥＴ６４を利用する構成となっているが、接地制御回路６ｂと同様、ｎｐｎ型バイポーラトランジスタ６５を用いる構成であってもよい。  本実施形態の音声出力回路Ｃは、第１実施形態の音声出力回路Ａと同じ特徴を有している。
【００６３】
（第４実施形態）
本発明にかかる音声出力回路のさらに他の例について図面を参照して説明する。図４は本発明にかかる音声出力回路のさらに他の例を示す図である。図４に示す音声出力回路Ｃは、接地制御回路６ｄが反転Ｒ出力回路１０２に接続され、増幅された反転Ｒｃｈ出力信号を検出している。それ以外は、音声出力回路Ａと同じ構成を有しており、実質上同じ部分には、同じ符号を付してある。
【００６４】
接地制御回路６ｄは、増幅された反転Ｒｃｈ出力信号に基づいて、接地端子５５が接地電位になるのを遅延させている。接地制御回路６ｄは、ｎ型ＭＯＳＦＥＴ６４を利用する構成となっているが、接地制御回路６ｂと同様、ｎｐｎ型バイポーラトランジスタ６５を用いる構成であってもよい。  本実施形態の音声出力回路Ｃは、第１実施形態の音声出力回路Ａと同じ特徴を有している。
【００６５】
（第５実施形態）
本発明にかかる音声出力回路のさらに他の例について図面を参照して説明する。図５は本発明にかかる音声出力回路のさらに他の例を示す図である。図５に示す音声出力回路Ｅは、接地制御回路６ｅがＬ出力回路２０１に接続され、増幅されたＬｃｈ出力信号を検出している。それ以外は、音声出力回路Ａと同じ構成を有しており、実質上同じ部分には、同じ符号を付してある。
【００６６】
接地制御回路６ｅは、増幅されたＬｃｈ出力信号に基づいて、接地端子５５が接地電位になるのを遅延させている。接地制御回路６ｅは、ｎ型ＭＯＳＦＥＴ６４を利用する構成となっているが、接地制御回路６ｂと同様、ｎｐｎ型バイポーラトランジスタ６５を用いる構成であってもよい。  本実施形態の音声出力回路Ｃは、第１実施形態の音声出力回路Ａと同じ特徴を有している。
【００６７】
以上示したように、スピーカに出力するときはＢＴＬ型の出力形式で、又はヘッドフォンに出力するときはＳＥ型の出力形式で信号を出力する音声出力回路で、ヘッドフォン接続時の出力信号の過渡的な変動によるポップ音の発生を抑制することができる。しかも、ＢＴＬ型の音声出力回路とＳＥ型の音声出力回路を設けたり、別途制御回路を設け信号を遮断するタイミングを決定したりする従来の音声出力回路よりも簡単な構成とすることができる。
【００６８】
以上示したように、本発明にかかる音声出力回路では、ＢＴＬ型の出力形式のＲｃｈ出力信号、反転Ｒｃｈ出力信号、Ｌｃｈ出力信号、反転Ｌｃｈ出力信号のいずれかの信号に基づいて、ヘッドフォン端子の接地端子が接地電位になるのを制御（遅延）している。いずれの信号を用いても同様又は略同様にポップ音の発生を抑制することができる。接地制御回路は、反転Ｒｃｈ出力信号又は反転Ｌｃｈ出力信号を検出するようにすることで、ヘッドフォンを接続したときの音声信号として用いられるＲｃｈ出力信号及びＬｃｈ出力信号に雑音が印加されるのを抑制することが可能である。
【００６９】
上記各実施形態の音声出力回路では、接地制御回路は、平滑回路、リセット回路との組み合わせでスイッチング素子のＯＮ／ＯＦＦ制御を行うものを挙げているが、これに限定されるものではない。接地制御回路は、ヘッドフォン端子の接地端子が接地電位になるのを、出力信号の過渡的な変動によるポップ音が発生する時間よりも後に遅延させることができ、出力信号が出力されている間、スイッチング素子のＯＮを維持する回路を広く採用することができる。
【００７０】
以上示した各実施形態では、ヘッドフォンにＲｃｈ出力信号及びＬｃｈ出力信号を出力しているが、これに限定されるものではなく、反転Ｒｃｈ出力信号及び反転Ｌｃｈ出力信号を出力するようにしてもよい。さらには、Ｒｃｈ用ヘッドフォンにはＲｃｈ出力信号又は反転Ｒｃｈ出力信号のいずれか、Ｌｃｈ用ヘッドフォンにＬｃｈ出力信号又は反転Ｌｃｈ出力信号のいずれかを出力するようにしてもよい。
【００７１】
以上、本発明の実施形態について説明したが、本発明はこの内容に限定されるものではない。また本発明の実施形態は、発明の趣旨を逸脱しない限り、種々の改変を加えることが可能である。
【符号の説明】
【００７２】
１  入力部
１１  Ｒ入力端子
１２  Ｌ入力端子
１０１  Ｒ出力回路
１０２  反転Ｒ出力回路
１０３  Ｒヘッドフォン信号回路
２０１  Ｌ出力回路
２０２  反転Ｌ出力回路
２０３  Ｌヘッドフォン信号回路
２  増幅部
２１１  増幅回路
２１２  増幅回路
２２１  増幅回路
２２２  増幅回路
３１  フィルタ回路
３２  バイアス除去回路
４１  スピーカ（Ｒｃｈ用スピーカ）
４２  スピーカ（Ｌｃｈ用スピーカ）
５  ヘッドフォン端子
５１１  Ｒスピーカ信号入力部
５１２  Ｒバイパス接続部
５１３  Ｒヘッドフォン信号入力部
５１４  Ｒ接片
５２１  Ｌスピーカ信号入力部
５２２  Ｌバイパス接続部
５２３  Ｌヘッドフォン信号入力部
５２４  Ｌ接片
５３  Ｒ切り替えスイッチ
５３１  可動片
５３２  接触部
５３３  押圧部
５４  Ｌ切り替えスイッチ
５４１  可動片
５４２  接触部
５４３  押圧部
６、６ｂ、６ｃ、６ｄ、６ｅ  接地制御回路
６１  ダイオード
６２  平滑回路
６２１  抵抗
６２２  コンデンサ
６３  リセット回路
６４  ｎ型ＭＯＳＦＥＴ（スイッチング素子）
６５  ｎｐｎ型バイポーラトランジスタ（スイッチング素子）
７  ヘッドフォン等価回路
７１１  Ｒ入力端部
７２１  Ｌ入力端部
７３  接地端子
【図１】
2014229917.tif 000003
【図２】
2014229917.tif 000004
【図３】
2014229917.tif 000005
【図４】
2014229917.tif 000006
【図５】
2014229917.tif 000007